(57)【特許請求の範囲】
【請求項１】
セル能力情報インタラクションのための方法であって、
基地局が、前記基地局によって制御される少なくとも一つのローカルセル又はローカルセルグループのマルチフロー送信能力情報を取得するステップと、
前記基地局が、前記マルチフロー送信能力情報を無線ネットワーク制御器に送信するステップと
を含み、
前記マルチフロー送信能力情報は、第一能力情報を含み、かつ、前記第一能力情報は、前記少なくとも一つのローカルセル又はローカルセルグループが、イントラ基地局マルチフロー送信能力をサポートすること、又は、インター基地局マルチフロー送信能力をサポートすることを示すために使用されることを特徴とする方法。
【請求項２】
前記マルチフロー送信能力情報は、第二能力情報と、第三能力情報とをさらに含み、又は、前記マルチフロー送信能力情報は、前記第二能力情報と前記第三能力情報との組み合わせ情報をさらに含み、
シングル周波数デュアルセル(SF-DC)能力と、デュアル周波数4セル(DF-4C)能力と、4周波数8セル(4F-8C)能力と、8周波数16セル(8F-16C)能力との少なくとも一つを、前記少なくとも一つのローカルセル又はローカルセルグループがサポートするか否かを示すために、前記第二能力情報が使用され、かつ、
多入力多出力(MIMO)能力と、MIMOシングルストリーム能力と、ダウンリンクにおけるセル特定送信ダイバーシティ処理の能力と、単一周波数帯における隣接周波数でのデュアルキャリア高速ダウンリンクパケット接続(HSDPA)の能力と、単一周波数帯における非隣接周波数でのデュアルキャリアHSDPAの能力と、デュアルバンドデュアルキャリアHSDPA能力と、デュアルキャリアHSUPA能力と、4キャリアHSDPA能力と、8キャリアHSDPA能力との少なくとも一つを、前記少なくとも一つのローカルセル又はローカルセルグループがサポートするか否かを示すために、前記第三能力情報が使用される、請求項１に記載の方法。
【請求項３】
前記マルチフロー送信能力情報を無線ネットワーク制御器に送信する前記ステップは、
リソース状態指示メッセージを前記無線ネットワーク制御器に送信するステップであって、前記リソース状態指示メッセージは、前記マルチフロー送信能力情報を有する、ステップ、又は、
監査応答メッセージを前記無線ネットワーク制御器に送信するステップであって、前記監査応答メッセージは、前記マルチフロー送信能力情報を有する、ステップを含む、請求項１又は２に記載の方法。
【請求項４】
セル能力情報インタラクションのための方法であって、
無線ネットワーク制御器が、基地局によって送信され、前記基地局によって制御される少なくとも一つのローカルセル又はローカルセルグループのマルチフロー送信能力情報を受信するステップと、
前記無線ネットワーク制御器が、前記マルチフロー送信能力情報に基づいて、前記基地局に接続されるユーザー装置の高速ダウンリンクパケット接続(HSDPA)マルチフロー送信動作を構成するステップと
を含み、
前記マルチフロー送信能力情報は、第一能力情報を含み、かつ、前記第一能力情報は、前記少なくとも一つのローカルセル又はローカルセルグループが、イントラ基地局マルチフロー送信能力をサポートすること、又は、インター基地局マルチフロー送信能力をサポートすることを示すために使用されることを特徴とする方法。
【請求項５】
前記マルチフロー送信能力情報は、第二能力情報と、第三能力情報とをさらに含み、又は、前記マルチフロー送信能力情報は、前記第二能力情報と前記第三能力情報との組み合わせ情報をさらに含み、
シングル周波数デュアルセル(SF-DC)能力と、デュアル周波数4セル(DF-4C)能力と、4周波数8セル(4F-8C)能力と、8周波数16セル(8F-16C)能力との少なくとも一つを、前記少なくとも一つのローカルセル又はローカルセルグループがサポートするか否かを示すために、前記第二能力情報が使用され、かつ、
多入力多出力(MIMO)能力と、MIMOシングルストリーム能力と、ダウンリンクにおけるセル特定送信ダイバーシティ処理の能力と、単一周波数帯における隣接周波数でのデュアルキャリアHSDPAの能力と、単一周波数帯における非隣接周波数でのデュアルキャリアHSDPAの能力と、デュアルバンドデュアルキャリアHSDPA能力と、デュアルキャリアHSUPA能力と、4キャリアHSDPA能力と、8キャリアHSDPA能力との少なくとも一つを、前記少なくとも一つのローカルセル又はローカルセルグループがサポートするか否かを示すために、前記第三能力情報が使用される、請求項４に記載の方法。
【請求項６】
基地局によって送信され、前記基地局によって制御される少なくとも一つのローカルセル又はローカルセルグループのマルチフロー送信能力情報を受信する前記ステップは、
前記基地局によって送信されたリソース状態指示メッセージを受信するステップであって、前記リソース状態指示メッセージは、前記マルチフロー送信能力情報を有する、ステップ、又は、
前記基地局によって送信された監査応答メッセージを受信するステップであって、前記監査応答メッセージは、前記マルチフロー送信能力情報を有する、ステップを含む、請求項４又は５のいずれか一項に記載の方法。
【請求項７】
基地局において、
前記基地局によって制御される少なくとも一つのローカルセル又はローカルセルグループのマルチフロー送信能力情報を取得するように構成された取得ユニットと、
前記取得ユニットによって取得された前記マルチフロー送信能力情報を、無線ネットワーク制御器に送信するように構成された送信ユニットと
を備え、
前記マルチフロー送信能力情報は、第一能力情報を含み、かつ、前記第一能力情報は、前記少なくとも一つのローカルセル又はローカルセルグループが、イントラ基地局マルチフロー送信能力をサポートすること、又は、インター基地局マルチフロー送信能力をサポートすることを示すために使用されることを特徴とする基地局。
【請求項８】
前記取得ユニットによって取得された前記マルチフロー送信能力情報は、第二能力情報と、第三能力情報とをさらに含み、又は、前記取得ユニットによって取得された前記マルチフロー送信能力情報は、前記第二能力情報と前記第三能力情報との組み合わせ情報をさらに含み、
シングル周波数デュアルセル(SF-DC)能力と、デュアル周波数4セル(DF-4C)能力と、4周波数8セル(4F-8C)能力と、8周波数16セル(8F-16C)能力との少なくとも一つを、前記少なくとも一つのローカルセル又はローカルセルグループがサポートするか否かを示すために、前記第二能力情報が使用され、かつ、
多入力多出力(MIMO)能力と、MIMOシングルストリーム能力と、ダウンリンクにおけるセル特定送信ダイバーシティ処理の能力と、単一周波数帯における隣接周波数でのデュアルキャリア高速ダウンリンクパケット接続(HSDPA)の能力と、単一周波数帯における非隣接周波数でのデュアルキャリアHSDPAの能力と、デュアルバンドデュアルキャリアHSDPA能力と、デュアルキャリアHSUPA能力と、4キャリアHSDPA能力と、8キャリアHSDPA能力との少なくとも一つを、前記少なくとも一つのローカルセル又はローカルセルグループがサポートするか否かを示すために、前記第三能力情報が使用される、請求項７に記載の基地局。
【請求項９】
前記送信ユニットは、リソース状態指示メッセージを、前記無線ネットワーク制御器に送信するようにさらに構成され、前記リソース状態指示メッセージは、前記マルチフロー送信能力情報を有し、又は、
前記送信ユニットは、監査応答メッセージを、前記無線ネットワーク制御器に送信するようにさらに構成され、前記監査応答メッセージは、前記マルチフロー送信能力情報を有する、請求項７又は８に記載の基地局。
【請求項１０】
基地局によって送信され、前記基地局によって制御される少なくとも一つのローカルセル又はローカルセルグループのマルチフロー送信能力情報を受信するように構成された受信ユニットと、
前記受信ユニットによって受信された前記マルチフロー送信能力情報に基づいて、前記基地局に接続されるユーザー装置の高速ダウンリンクパケット接続(HSDPA)マルチフロー送信動作を構成するように構成された構成ユニットと
を備え、
前記マルチフロー送信能力情報は、第一能力情報を含み、かつ、前記第一能力情報は、前記少なくとも一つのローカルセル又はローカルセルグループが、イントラ基地局マルチフロー送信能力をサポートすること、又は、インター基地局マルチフロー送信能力をサポートすることを示すために使用されることを特徴とする無線ネットワーク制御器。
【請求項１１】
前記受信ユニットによって受信された前記マルチフロー送信能力情報は、第二能力情報と、第三能力情報とをさらに含み、又は、前記受信ユニットによって受信された前記マルチフロー送信能力情報は、前記第二能力情報と前記第三能力情報との組み合わせ情報をさらに含み、
シングル周波数デュアルセル(SF-DC)能力と、デュアル周波数4セル(DF-4C)能力と、4周波数8セル(4F-8C)能力と、8周波数16セル(8F-16C)能力との少なくとも一つを、前記少なくとも一つのローカルセル又はローカルセルグループがサポートするか否かを示すために、前記第二能力情報が使用され、かつ、
多入力多出力(MIMO)能力と、MIMOシングルストリーム能力と、ダウンリンクにおけるセル特定送信ダイバーシティ処理の能力と、単一周波数帯における隣接周波数でのデュアルキャリアHSDPAの能力と、単一周波数帯における非隣接周波数でのデュアルキャリアHSDPAの能力と、デュアルバンドデュアルキャリアHSDPA能力と、デュアルキャリアHSUPA能力と、4キャリアHSDPA能力と、8キャリアHSDPA能力との少なくとも一つを、前記少なくとも一つのローカルセル又はローカルセルグループがサポートするか否かを示すために、前記第三能力情報が使用される、請求項１０に記載の無線ネットワーク制御器。
【請求項１２】
前記受信ユニットは、前記基地局によって送信されたリソース状態指示メッセージを受信するようにさらに構成され、前記リソース状態指示メッセージは、前記マルチフロー送信能力情報を有し、又は、
前記受信ユニットは、前記基地局によって送信された監査応答メッセージを受信するようにさらに構成され、前記監査応答メッセージは、前記マルチフロー送信能力情報を有する、請求項１０又は１１に記載の無線ネットワーク制御器。
【請求項１３】
請求項７〜９のいずれか一項に記載の基地局と、請求項１０〜１２のいずれか一項に記載の無線ネットワーク制御器とを含むことを特徴とする通信システム。
【発明の詳細な説明】
【技術分野】
【０００１】
本発明の態様は、無線通信分野に関し、特にセル能力情報インタラクションのための方法、デバイス及びシステムに関する。
本願は、2012年1月21日に出願された、発明の名称を“METHOD, DEVICE AND SYSTEM FOR CELL CAPABILITY INFORMATION INTERACTION”とする、中国特許出願第201210019475.6号の優先権を主張するとともに、参照により、その全体がここに組み込まれる。
【背景技術】
【０００２】
UMTS (Universal Mobile Telecommunications System, ユニバーサル移動体通信システム)は、現在広く使用されている第三世代(3G)モバイル通信技術である。
【０００３】
HSDPA (High Speed Downlink Packet Access, 高速ダウンリンクパケット接続)技術が、UMTSの発達に取り入れられ、かつ、この技術は、すでに構築されたシステムネットワークアーキテクチャを変更することなくユーザのダウンリンクデータサービス速度(理論的な最大値は、14.4 Mbpsに達することが可能)を大きく高めることができる。
【０００４】
HSDPA技術において、一つのHSDPAサービングセルのみが、各UE(User Equipment, ユーザー装置)に対して構成され、かつ、UEが移動するとともに、ハンドオーバーが実行される必要があるとき、オリジナルHSDPAサービングセルから、ターゲットHSDPAサービングセルへのハンドオーバーを完了させるために、ネットワークサイドは、ハンドオーバー処理を開始する必要がある。
【０００５】
従来技術では、UEをセルに接続する処理において、RNC (Radio Network Controller, 無線ネットワーク制御器)は、セル能力及びセルリソースに基づいて、アドミッション制御を実行する必要がある。例えば、RNCは、適切に構成を実行するために、UEの能力及びセルの能力を知る必要がある。ローカルセルがNodeBサイドで確立されるとき、NodeBの物理リソース(例えばセル能力)の状態は、リソースアドミッションを助けるためにRNCに通知される必要がある。
【０００６】
HSDPA-Multiflow-Tx (HSDPAマルチフロートランスミッション)技術もまた、UMTSの発展に取り入れられる。しかしながら、従来技術では、RNCは、UEの接続の後に、UEのHSDPAマルチフロー送信動作のために適切な構成を実行することができず、その結果、HSDPAマルチフロートランスミッションの特徴は効果的に適用されることができない。
【発明の概要】
【課題を解決するための手段】
【０００７】
本発明の態様は、セル能力情報インタラクションのための方法、デバイス及びシステムを提供し、HSDPAマルチフロートランスミッションの特徴を効果的に適用することができる。
【０００８】
一態様に従って、セル能力情報インタラクションのための方法が提供され、前記方法は、基地局によって制御される少なくとも一つのローカルセル又はローカルセルグループのマルチフロー送信能力情報を取得するステップと、前記マルチフロー送信能力情報を無線ネットワーク制御器に送信するステップとを含む。
【０００９】
一態様に従って、セル能力情報インタラクションのための方法が提供され、前記方法は、
基地局によって送信され、前記基地局によって制御される少なくとも一つのローカルセル又はローカルセルグループのマルチフロー送信能力情報を受信するステップと、
前記マルチフロー送信能力情報に基づいて、前記基地局に接続されるユーザー装置のHSDPAマルチフロー送信動作を構成するステップと
を含むことを特徴とする。
【００１０】
一態様に従って、基地局が提供され、前記基地局は、前記基地局によって制御される少なくとも一つのローカルセル又はローカルセルグループのマルチフロー送信能力情報を取得するように構成された取得ユニットと、前記取得ユニットによって取得された前記マルチフロー送信能力情報を無線ネットワーク制御器に送信するように構成された送信ユニットとを備える。
【００１１】
一態様に従って、無線ネットワーク制御器が提供され、前記無線ネットワーク制御器は、基地局によって送信され、前記基地局によって制御される少なくとも一つのローカルセル又はローカルセルグループのマルチフロー送信能力情報を受信するように構成された受信ユニットと、前記受信ユニットによって受信された前記マルチフロー送信能力情報に基づいて、前記基地局に接続されるユーザー装置のHSDPAマルチフロー送信動作を構成するように構成された構成ユニットとを備える。
【００１２】
一態様に従って、通信システムが提供され、前記通信システムは、前述の基地局と、前述の無線ネットワーク制御器を備える。
【００１３】
本発明の態様において、基地局は、ローカルセル又はローカルセルグループのマルチフロー送信能力情報を無線ネットワーク制御器に送信する。このように、UEの接続後、前記無線ネットワーク制御器は、前記マルチフロー送信能力情報に基づいて、前記UEのHSDPAマルチフロー送信動作を適切に構成することができ、それによって、HSDPAマルチフロートランスミッションの特徴を効果的に適用することができる。
【図面の簡単な説明】
【００１４】
本発明の実施形態における技術的解決策をより明瞭に説明するために、以下に、実施形態及び従来技術を説明するために必要となる添付図面を簡単に説明する。以下の説明における添付図面は、単に本発明のいくつかの実施形態を示しており、当業者は、創造的努力なしに、これらの添付図面から他の図面を導き出すことが可能であることは明らかである。
【００１５】
【図１】本発明の実施形態に基づくセル能力情報インタラクションのための方法のフローチャートである。
【図２】本発明の別の実施形態に基づくセル能力情報インタラクションのための方法のフローチャートである。
【図３】本発明の実施形態に基づくセル能力情報インタラクションのプロセスの概略図である。
【図４】本発明の別の実施形態に基づくセル能力情報インタラクションのプロセスの概略図である。
【図５Ａ】Intra-NodeB MF-Tx ステートの実施例の概略図である。
【図５Ｂ】Inter-NodeB MF-Tx ステートの実施例の概略図である。
【図６Ａ】MF-Tx モードの概略図である。
【図６Ｂ】MF-Tx モードの概略図である。
【図６Ｃ】MF-Tx モードの概略図である。
【図６Ｄ】MF-Tx モードの概略図である。
【図７】セル構造の一実施例の概略図である。
【図８】本発明の実施形態に基づく基地局のブロック図である。
【図９】本発明の実施形態に基づく無線ネットワーク制御器のブロック図である。
【発明を実施するための形態】
【００１６】
以下に、本発明の実施形態における技術的解決策を、本発明の実施形態の添付図面を参照しながら明瞭かつ十分に説明する。説明される実施形態は、本発明の実施形態の全体というよりはむしろ一部であることは明らかである。当業者によって、創造的努力なしに本発明の実施形態に基づいて取得される他の全ての実施形態は、本発明の保護範囲内であるとする。
【００１７】
図1は、本発明の実施形態に基づくセル能力情報インタラクションのための方法のフローチャートである。図1における方法は、基地局(例えばNodeB)によって実行されてもよい。
【００１８】
101.前記基地局によって制御される少なくとも一つのローカルセル又はローカルセルグループのマルチフロー送信能力情報を取得する。
【００１９】
特に、"ローカルセル"は、NodeBのカバレッジ内のセルにおける物理リソースのセットを表し、さらに、"ローカルセル"は、ローカルセル ID(Local Cell ID)を使用することによって区別される。"ローカルセルグループ"は、少なくとも一つのローカルセルのセットであり、かつ、複数のローカルセルによって共有されるいくつかのリソースを有し、さらに、これらのセルが、前記ローカルセルグループに属する。
【００２０】
随意に、一実施形態として、前記マルチフロー送信能力情報は、第一能力情報を含んでもよい。前記第一能力情報は、前記少なくとも一つのローカルセル又はローカルセルグループが、イントラ基地局マルチフロー送信能力をサポートし、インター基地局マルチフロー送信能力をサポートし、又はマルチフロー送信能力をサポートしないことを示すために使用されてもよい。または、前記第一能力情報は、前記少なくとも一つのローカルセル又はローカルセルグループが、マルチフロー送信能力をサポートし、又はマルチフロー送信能力をサポートしないことを示すために使用されてもよい。
【００２１】
随意に、別の実施形態として、前記第一能力情報はさらに、マルチフロートランスミッションによってサポートされる周波数についての情報と、セルを調整するマルチフロートランスミッションの最大数についての情報と、前記基地局のセルを調整するマルチフロートランスミッションのリストと、前記基地局のセルを調整するノンマルチフロートランスミッションのリストと、マルチフロートランスミッションをサポートする前記基地局のセルのリストと、マルチフロートランスミッションをサポートしない前記基地局のセルのリストとの少なくとも一つをさらに含んでもよい。
【００２２】
随意に、別の実施形態として、前記マルチフロー送信能力情報はさらに、第二能力情報と、第三能力情報とを含んでもよく、又は、前記第二能力情報と前記第三能力情報との組み合わせ情報をさらに含んでもよい。前記組み合わせ情報は、前記第二能力情報の様々な能力と前記第三能力情報の様々な能力との組み合わせを示すために使用される情報であり、例えば、前記第二能力情報の様々な能力と前記第三能力情報の様々な能力との前記組み合わせに対応するマッピング値又はインデックス値であってもよい。しかし、組み合わせ情報の特定の形態は、組み合わせ情報が、前記第二能力情報の様々な能力と前記第三能力情報の様々な能力との前記組み合わせを示すことができるのであれば、本発明の実施形態に限定されない。以下に、それの能力情報及び前記組み合わせ情報の二つのタイプの実施例が、表３〜表５の実施形態を参照しながら詳細に説明される。
【００２３】
前記第二能力情報と前記第三能力情報とは、前記第一能力情報の拡張であってもよい。随意には、前記少なくとも一つのローカルセル又はローカルセルグループが、SF-DC (Single Frequency Dual Cell, シングル周波数デュアルセル)能力と、DF-4C (Dual Frequency 4 Cell, デュアル周波数4セル)能力と、4F-8C (4 Frequency 4 Cell, 4周波数8セル)能力と、8F-16C (8 Frequency 16 Cell, 8周波数16セル)能力との少なくとも一つをサポートするか否かを示すために、前記第二能力情報が使用されてもよい。以下に、表３の実施形態と、図6Ａ〜図6Ｄの実施形態とを参照しながら、前記第二能力情報の実施例が詳細に説明される。
【００２４】
随意に、前記少なくとも一つのローカルセル又はローカルセルグループが、MIMO(Multiple Input Multiple Output, 多入力多出力)能力と、MIMOシングルストリーム能力と、ダウンリンクにおけるセル特定送信ダイバーシティ処理(cell specific transmission diversity handling)の能力と、単一周波数帯における隣接周波数でのDC-HSDPA (Dual Carrier-HSDPA, デュアルキャリアHSDPA)の能力と、単一周波数帯における非隣接周波数でのDC-HSDPAの能力と、DB-DC-HSDPA (Dual Band-Dual Carrier-HSDPA, デュアルバンドデュアルキャリアHSDPA)能力と、DC-HSUPA(Dual Carrier - High Speed Uplink Packet Access, デュアルキャリア高速アップリンクパケットアクセス)能力と、4C-HSDPA (4 Carrier -HSDPA, 4キャリアHSDPA)能力と、8C-HSDPA(8 Carrier -HSDPA, 8キャリアHSDPA)能力との少なくとも一つをサポートするか否かを示すために、前記第三能力情報が使用されてもよい。以下に、前記第三能力情報の実施例が、表４の実施形態を参照しながら詳細に説明される。
【００２５】
102:前記マルチフロー送信能力情報を、無線ネットワーク制御器に送信する。
【００２６】
前記マルチフロー送信能力情報を通知する方法は、本発明の実施形態に限定されない。前記基地局は、情報要素をRNCに送信してもよく、前記情報要素は、メッセージにおいて、前記基地局によってRNCに送信されてもよく、かつ、情報要素は、前記少なくとも一つのローカルセル又はローカルセルグループの、全てのローカルセル又はローカルセルグループのマルチフロー送信能力情報を有する。前記少なくとも一つのローカルセル又はローカルセルグループが、前記基地局によって制御される全てのローカルセル又はローカルセルグループを参照するとき、前記通知されたマルチフロー送信能力情報は、前記基地局のHSDPAマルチフロー送信能力を示す。この場合、前記基地局は、前記マルチフロー送信能力情報を、RNCに一度だけ通知する必要があり、かつ、前記RNCは、前記基地局によって制御される全てのローカルセル又は全てのローカルセルグループのマルチフロー送信能力情報を知ることができる。
【００２７】
別の方法として、前記基地局は、少なくとも一つの情報要素をRNCに送信してもよい。前記少なくとも一つの情報要素は、前記少なくとも一つのローカルセル又はローカルセルグループの、一つのローカルセル又はローカルセルグループのマルチフロー送信能力情報を有する。前記少なくとも一つの情報要素は、メッセージにおいて、前記基地局によってRNCに通知されてもよく、又は、複数のメッセージでRNCにそれぞれ通知されてもよく、本発明の実施形態に限定されない。
【００２８】
前記マルチフロー送信能力情報を有するメッセージは、本発明の実施形態に限定されない。その代わりに、任意の適切なメッセージが使用されてもよい。随意に、一実施形態として、前記マルチフロー送信能力情報を、前記無線ネットワーク制御器に送信されるリソース状態指示メッセージの中に有してもよく、又は、前記マルチフロー送信能力情報を、前記無線ネットワーク制御器に送信される監査応答メッセージの中に有してもよい。以下にさらに、前記マルチフロー送信能力情報を有するメッセージの実施例が、図3及び図4の実施例を参照しながら詳細に説明される。
【００２９】
本発明の実施形態において、基地局は、ローカルセル又はローカルセルグループのマルチフロー送信能力情報を、無線ネットワーク制御器に送信する。このように、UEの接続後、前記無線ネットワーク制御器は、前記マルチフロー送信能力情報に基づいて、前記UEのためにHSDPAマルチフロー送信動作を適切に構成することができ、それによって、HSDPAマルチフロートランスミッションの特徴を効果的に適用することができる。
【００３０】
本発明の別の実施形態に基づくセル能力情報インタラクションのための方法のフローチャートである。図2の方法は、無線ネットワーク制御器(例えばRNC)によって実行されてもよい。
【００３１】
201.基地局によって送信され、前記基地局によって制御される少なくとも一つのローカルセル又はローカルセルグループのマルチフロー送信能力情報を受信する。
【００３２】
随意に、一実施形態として、前記マルチフロー送信能力情報は、第一能力情報を含んでもよい。前記少なくとも一つのローカルセル又はローカルセルグループが、イントラ基地局マルチフロー送信能力をサポートし、インター基地局マルチフロー送信能力をサポートし、又はマルチフロー送信能力をサポートしないことを示すために前記第一能力情報が使用されてもよく、又は、前記少なくとも一つのローカルセル又はローカルセルグループが、マルチフロー送信能力をサポートし、マルチフロー送信能力をサポートしないことを示すために前記第一能力情報が使用されてもよい。
【００３３】
随意に、別の実施形態として、前記第一能力情報は、マルチフロートランスミッションによってサポートされる周波数についての情報と、セルを調整するマルチフロートランスミッションの最大数についての情報と、前記基地局のセルを調整するマルチフロートランスミッションのリストと、前記基地局のセルを調整するノンマルチフロートランスミッションのリストと、マルチフロートランスミッションをサポートする前記基地局のセルのリストと、マルチフロートランスミッションをサポートしない前記基地局のセルのリストとの少なくとも一つをさらに含んでもよい。
【００３４】
随意に、別の実施形態として、前記マルチフロー送信能力情報は、第二能力情報と、第三能力情報とをさらに含み、又は前記第二能力情報と前記第三能力情報との組み合わせ情報をさらに含んでもよい。前記組み合わせ情報は、前記第二能力情報の様々な能力と前記第三能力情報の様々な能力との組み合わせを示すために使用される情報であり、例えば、前記第二能力情報の様々な能力と前記第三能力情報の様々な能力との前記組み合わせに対応するマッピング値又はインデックス値であってもよい。しかし、組み合わせ情報の特定の形態は、組み合わせ情報が、前記第二能力情報の様々な能力と前記第三能力情報の様々な能力との前記組み合わせを示すことができるのであれば、本発明の実施形態に限定されない。以下に、それの能力情報及び前記組み合わせ情報の二つのタイプの実施例が、表３〜表５の実施形態を参照しながら詳細に説明される。
【００３５】
前記第二能力情報及び前記第三能力情報は、前記第一能力情報の拡張であってもよい。随意に、前記第二能力情報は、前記少なくとも一つのローカルセル又はローカルセルグループが、SF-DC 能力と、DF-4C 能力と、4F-8C 能力と、8F-16C 能力との少なくとも一つをサポートするか否かを示すために使用されてもよい。以下に、前記第二能力情報の実施例が、図3の実施形態と、図6Ａ〜図6Ｄの実施形態とを参照しながら詳細に説明される。
【００３６】
随意に、前記少なくとも一つのローカルセル又はローカルセルグループが、MIMO 能力と、MIMOシングルストリーム能力と、ダウンリンクにおけるセル特定送信ダイバーシティ処理の能力と、単一周波数帯における隣接周波数でのDC-HSDPAの能力と、単一周波数帯における非隣接周波数でのDC-HSDPAの能力と、DB-DC-HSDPA 能力と、DC-HSUPA 能力と、4C-HSDPA 能力と、8C-HSDPA 能力との少なくとも一つをサポートするか否かを示すために、前記第三能力情報が使用されてもよい。以下に、前記第三能力情報の実施例が、表４の実施形態を参照しながら、詳細に説明される。
【００３７】
前記RNCによってマルチフロー送信能力情報を受信する方法は、本発明の実施形態に限定されない。前記RNCは、前記基地局によって送信された情報要素を受信してもよく、前記情報要素は、メッセージにおいて、前記基地局によってRNCに送信されてもよく、かつ、前記情報要素は、前記少なくとも一つのローカルセル又はローカルセルグループの、全てのローカルセル又はローカルセルグループのマルチフロー送信能力情報を有する。前記少なくとも一つのローカルセル又はローカルセルグループが、前記基地局によって制御される全てのローカルセル又はローカルセルグループを参照するとき、前記通知されたマルチフロー送信能力情報は、前記基地局のHSDPAマルチフロー送信能力を示す。この場合、前記RNCは、前記基地局によって制御される全てのローカルセル又はローカルセルグループのマルチフロー送信能力情報を知るために、前記マルチフロー送信能力情報を、前記基地局から一度だけ受信する必要がある。
【００３８】
その代わりに、前記RNCは、前記基地局によって送信される少なくとも一つの情報要素を受信してもよい。前記少なくとも一つの情報要素は、前記少なくとも一つのローカルセル又はローカルセルグループの、一つのローカルセル又はローカルセルグループのマルチフロー送信能力情報を有する。前記少なくとも一つの情報要素は、メッセージにおいて、前記基地局によって、前記RNCに通知されてもよく、又は、複数のメッセージで、前記RNCにそれぞれ通知されてもよく、本発明の実施形態において限定されない。
【００３９】
前記マルチフロー送信能力情報を有するメッセージは、本発明の実施形態に限定されない。その代わりに、任意の適切なメッセージが使用されてもよい。随意に、一実施形態として、前記基地局によってリソース状態指示メッセージに追加される前記マルチフロー送信能力情報が受信されてもよく、又は、前記基地局によって監査応答メッセージに追加される前記マルチフロー送信能力情報が受信されてもよい。以下に、前記マルチフロー送信能力情報を有するメッセージの実施例が、図3及び図4の実施形態を参照しながらさらに説明される。
【００４０】
202.前記マルチフロー送信能力情報に基づいて、前記基地局に接続されるユーザー装置のHSDPAマルチフロー送信動作 (MF-Tx 動作)を構成する。
【００４１】
本発明の実施形態において、基地局は、ローカルセル又はローカルセルグループのマルチフロー送信能力情報を、無線ネットワーク制御器に送信する。このように、UEの接続後、前記無線ネットワーク制御器は、前記マルチフロー送信能力情報に基づいて前記UEのためにHSDPAマルチフロー送信動作を適切に構成することができ、それによって、HSDPAマルチフロートランスミッションの特徴を効果的に適用することができる。
【００４２】
NodeBによって前記RNCに送信されるHSDPAマルチフロー送信能力情報の特定のメッセージの形態は、本発明の実施形態に限定されない。例えば、前記NodeBは、既存のリソース状態指示(RESOURCE STATUS INDICATION)プロセス又は監査(Audit)プロセスを使用することによって、能力情報を前記RNCに通知してもよい。
【００４３】
図3は、本発明の実施形態に基づくセル能力情報インタラクションのプロセスの概略図である。リソース状態指示プロセスが、図3の実施形態において使用されている。
【００４４】
リソース状態指示プロセスのためのトリガ理由(triggering reason)は、例えば、NodeBのローカルセルの追加、NodeBのローカルセルの削除、ローカルセル又はローカルセルグループの能力における変更、又は別の理由を含んでもよい。
【００４５】
301.前述のトリガ理由の一つが満たされるとき、前記NodeBは、前記リソース状態指示プロセスをトリガするとともにリソース状態指示メッセージをRNCに送信し、かつ、前記NodeBは、前記メッセージに、例えばHSDPAマルチフロー送信能力情報のような、確立されることを必要とするローカルセル又はローカルセルグループの情報及び能力情報を追加してもよい。
【００４６】
本発明の実施形態において、基地局は、ローカルセル又はローカルセルグループのマルチフロー送信能力情報を、無線ネットワーク制御器に送信する。このように、UEの接続後、前記無線ネットワーク制御器は、前記マルチフロー送信能力情報に基づいて、前記UEのためにHSDPAマルチフロー送信動作を適切に構成することができ、それによって、HSDPAマルチフロートランスミッションの特徴を効果的に適用することができる。
【００４７】
図4は、本発明の別の実施形態に基づくセル能力情報インタラクションのプロセスの概略図である。リソース監査プロセスは、図4の実施形態において使用される。
【００４８】
RNCは、リソース監査プロセスを使用して、NodeBの構成及び論理リソースを監査してもよい。監査によって、前記RNCは、前記NodeBの論理リソースを知ることができ、かつ、リソースを前記NodeBのリソースに同期することができる。
【００４９】
401. 前記RNCは、監査要求(Audit Request)メッセージを前記NodeBに送信し、前記NodeBの構成及び論理リソースの監査を要求する。
【００５０】
402. 前記NodeBは、監査応答(Audit Response)メッセージを前記RNCに返送する。前記NodeBは、前記監査応答に、例えばHSDPAマルチフロー送信能力情報のようなローカルセル又はローカルセルグループの情報と能力情報とを追加する。
【００５１】
本発明の実施形態において、基地局は、ローカルセル又はローカルセルグループのマルチフロー送信能力情報を、無線ネットワーク制御器に送信する。このように、UEの接続後、前記無線ネットワーク制御器は、前記マルチフロー送信能力情報に基づいて、前記UEのためにHSDPAマルチフロー送信動作を適切に構成することができ、それによって、HSDPAマルチフロートランスミッションの特徴を効果的に適用することができる。
【００５２】
以下に、本発明における実施形態のHSDPAマルチフロー送信能力情報が、具体的な実施例を参照しながらより詳細に説明される。前記実施例は、全ての実施方法を列挙しているというよりはむしろ、単に当業者が本発明におけるHSDPAマルチフロー送信能力情報のいくつかの実施可能な方法を理解することを助けることを意図しており、従って、本発明の範囲を限定するものとして理解されることはできないということに留意すべきである。
【００５３】
本発明の実施形態における前記マルチフロー送信能力情報は、第一能力情報を含んでもよい。随意に、前記マルチフロー送信能力情報は、第二能力情報及び第三能力情報、又は、前記第二能力情報と前記第三能力情報との組み合わせ情報をさらに含んでもよい。前記第一能力情報は、前記ローカルセル又はローカルセルグループが、マルチフロートランスミッションをサポートするか否かを示すために使用されてもよく、従って、MF-Tx 基本能力情報として参照されてもよい。前記第二能力情報("基本能力情報(fundamental capability information)"としても参照されてもよい)と、前記第三能力情報("拡張能力情報(enhanced capability information)"としても参照されてもよい)とは、前記第一能力情報の拡張であってもよい。
【００５４】
前記基本能力情報は、前記ローカルセル又はローカルセルグループが、MF-Tx (Multiflow-Tx, マルチフロートランスミッション)をサポートするか否かを示す。特に、一実施形態として、前記基本能力情報は、前記ローカルセル又はローカルセルグループが、イントラ基地局マルチフロートランスミッション(Intra-NodeB MF-Tx) 能力をサポートし、インター基地局 マルチフロートランスミッション (Inter-NodeB MF-Tx)能力をサポートし、又はMF-Tx 能力をサポートしないこと示してもよく、前記Inter-NodeB MF-Tx 能力は、Intra-NodeB MF-Tx 能力を含む。換言すると、Inter-NodeB MF-Tx 能力を有するセル若しくはローカルセル、又はローカルセルグループは、Intra-NodeB MF-Tx 能力を必ず有する。
【００５５】
随意に、別の実施形態として、前記基本能力情報は、少なくとも一つのセル若しくはローカルセル、又はローカルセルグループがMF-Tx 能力をサポートし、又は、前記MF-Tx 能力をサポートしないことを示してもよい。ここで、前記MF-Tx 能力は、Intra-NodeB MF-Tx 能力及びInter-NodeB MF-Tx 能力であってよく、前記二つの能力は、それぞれ独立しており、かつ関連していない。また、前記MF-Tx 能力は、Inter-NodeB MF-Tx 能力であってよく、この場合、前記Inter-NodeB MF-Tx 能力は、Intra-NodeB MF-Tx 能力を含む。
【００５６】
カレント(Current)MF-Txモードは、SF-DCと、DF-4Cと、4F-8Cと、8F-16Cとを含む。前述の"MF-Tx 能力"は、特に、少なくとも一つのMF-Txモードをサポートする能力である。
【００５７】
図5Ａ及び図5Ｂは、それぞれIntra-NodeB MF-Tx ステート及びInter-NodeB MF-Tx ステートの概略図である。図5Ａ及び図5Ｂは、MF-Txの最もシンプルなモードの一つ、つまり、以下に説明されるSF-DCモードを示しているに過ぎないことは留意すべきである。
【００５８】
図5Ａ及び図5Ｂに示されるように、２つのセル、すなわちセル1及びセル２の動作周波数は同一である。前記２つのセルが同一のNodeB(基地局)に属するか否かに応じて、Intra-NodeB MF-Tx (図5Ａ)ステートと、Inter-NodeB MF-Tx (図5Ｂ)ステートとに分類されてもよい。
【００５９】
図6Ａ〜図6Ｄは、４つのMF-Txモードの概略図である。カレントMF-Txモードは、SF-DCと、DF-4Cと、4F-8Cと、8F-16Cとを含む。
【００６０】
図6Ａは、SF-DCモードの概略図である。図6Ａに示されるように、シングル周波数(f1) カバレッジのシナリオが提供され、異なるセルの間にカバレッジ重複領域が存在し、セル1及びセル2は、基地局 NodeB 1のセルであり、かつ、セル3は、基地局 NodeB 2のセルである。UEが、カバレッジ重複領域内にあるとき、前記UEは、少なくとも2つのセルから同時にHSDPAデータを受信してもよい。
【００６１】
SF-DCは、SF-DC調整(SF-DC coordination)に参加しているセルが同一のNodeBに属するか否かに応じて、Intra-NodeB SF-DC (例えば、セル1及びセル2)及びInter-NodeB SF-DC (例えば、セル2及びセル3)にさらに分類される。
【００６２】
図6Ｂは、DF-4Cモードの概略図である。図6Ｂに示されるように、デュアル周波数(f1, f2) カバレッジのシナリオが提供され、各周波数で異なるセル間にカバレッジ重複領域が存在し、セル1、セル2、セル3、及びセル4は、基地局 NodeB 1のセルであり、かつ、セル5及びセル6は、基地局 NodeB 2のセルである。縦方向に見ると、異なる周波数のセルが、同様のカバレッジ領域又は異なるカバレッジ領域を有してもよいと理解でき、かつ、UEがカバレッジ重複領域内にあるとき、前記UEは、同時に最大で４セルからHSDPAデータを受信してもよい。
【００６３】
DF-4Cは、また随意に2つのモード、すなわち、DF-2C及びDF-3Cを含んでもよく、DF-2Cにおいて、2つの周波数の2つのセルが、DF-2C 調整に参加し、かつ、DF-3Cにおいて、2つの周波数の3つのセルが、DF-3C 調整に参加する。
【００６４】
DF-4Cは、DF-4C 調整に参加しているセルが同一NodeBに属するか否かに応じて、Intra-NodeB DF-4C (例えばセル1、セル2、セル3、及びセル4)と、Inter-NodeB DF-4C(例えばセル3、セル4、セル5、及びセル6)とにさらに分類される。
【００６５】
図6Ｃは、4F-8Cモードの概略図である。図6Ｃに示されるように、4周波数(f1, f2, f3, f4)カバレッジのシナリオが提供され、各周波数で異なるセル間にカバレッジ重複領域が存在し、セル1からセル8は、基地局 NodeB 1のセルであり、かつ、セル9からセル12は、基地局 NodeB 2のセルである。縦方向に見ると、異なる周波数のセルは、同様のカバレッジ領域又は異なるカバレッジ領域を有してもよいと理解でき、かつUEがカバレッジ重複領域内にあるとき、前記UEは、同時に最大で8セルからHSDPAデータを受信してもよい。
【００６６】
4F-8Cはまた、随意に、xF-yC (3≦x≦4, 3≦y≦8)を含む。異なるモード間の差は、周波数と、調整に参加するセルとにある。
【００６７】
4F-8Cは、4F-8C 調整に参加しているセルが同一のNodeBに属するか否かに応じて、Intra-NodeB 4F-8C (例えば、セル1からセル8)と、Inter-NodeB 4F-8C (例えば、セル5からセル12)にさらに分類される。
【００６８】
図6Ｄは、8F-16Cモード概略図である。図6Ｄに示されるように、8周波数(f1, f2, f3, f4, f5, f6, f7, 及びf8)カバレッジのシナリオが提供され、各周波数における異なるセル間にカバレッジ重複領域が存在し、セル1からセル16は、基地局 NodeB 1のセルであり、かつ、セル17からセル24は、基地局 NodeB 2のセルである。縦方向に見ると、異なる周波数のセルは、同様のカバレッジ領域又は異なるカバレッジ領域を有してもよいと理解でき、UEがカバレッジ重複領域内にあるとき、前記UEは、同時に最大で16セルからHSDPAデータを受信してもよい。
【００６９】
8F-16Cはまた、随意に、xF-yC (5≦x≦8, 5≦y≦16)を含む。異なるモード間の差は、周波数と、調整に参加するセルとにある。
【００７０】
8F-16Cは、8F-16C 調整に参加しているセルが、同一のNodeBに属するか否かに応じて、Intra-NodeB 8F-16C (例えばセル1からセル16)と、Inter-NodeB 8F-16C (例えばセル9からセル24)とにさらに分類される。
【００７１】
随意に、一実施形態として、前述の基本能力情報は、デフォルトで、少なくとも一つのローカルセル又はローカルセルグループが、SF-DCモードでMF-Tx 能力をサポートすることを示してもよい。この場合、前記基本能力情報は、さらにMF-Tx能力を示すために、MF-Tx 拡張能力情報(つまり、前述の第二能力情報及び第三能力情報、又は、前記第二能力情報と前記第三能力情報との組み合わせ情報)を使用することによって拡張されてもよい。
【００７２】
随意に、別の実施形態として、RNCは、前記ローカルセルの隣接セルリストに基づいて、セルを調整するマルチフロートランスミッション、又は、ローカルセルの周波数を制限してもよく、それによって、ネットワークサイドにおけるHSDPAマルチフロートランスミッションのセル能力インタラクションプロセスを最適化することができる。
【００７３】
随意に、別の実施形態として、前記第一能力情報は、MF-Txによってサポートされる周波数についての情報と、MF-Tx 調整セルの最大数についての情報と、前記基地局のMF-Tx 調整セルのリストと、前記基地局のnon-MF-Tx 調整セルのリストと、MF-Txをサポートする前記基地局のセルのリストと、MF-Txをサポートしない前記基地局のセルのリストとの少なくとも一つをさらに含んでもよい。
【００７４】
例えば、マルチフロー送信能力情報が、各ローカルセル又はローカルセルグループに対応する(つまり、各ローカルセル又はローカルセルグループのマルチフロー送信能力情報を示すために、前記基地局が複数の情報要素を前記RNCに通知する)場合、前記第一能力情報は、MF-Txによってサポートされる周波数についての情報と、MF-Tx 調整セルの最大数についての情報と、前記基地局のMF-Tx 調整セルのリスト(又は、前記基地局のnon-MF-Tx 調整セルのリスト)とをさらに含んでもよい。前記基地局のMF-Tx 調整セルは、ローカルセルで、マルチフロートランスミッション 調整を実行することができる基地局のセルである。前記基地局のnon-MF-Tx 調整セルは、ローカルセルで、マルチフロートランスミッション 調整を実行することができない基地局のセルである。
【００７５】
MF-Txによってサポートされる周波数についての情報は、周波数のリスト、又はセルによってサポートされるMF-Tx周波数の最大数であってもよい。周波数についての前記情報を、１以上の周波数でMF-Txモード(DF-4C, 4F-8C, or 8F-16C)においてのみ、前記基本能力情報に有してもよい。さらに、ローカルセルの調整セル又は周波数は、前記ローカルセルの隣接セルリストに基づいて、前記RNCによって制限されてもよい。
【００７６】
さらに、マルチフロー送信能力情報が前記基地局に対応する(つまり、前記基地局によって制御される全てのローカルセル又はローカルセルグループのマルチフロー送信能力情報を示すために、前記基地局が情報要素を前記RNCに通知する)場合、前記第一能力情報は、MF-Txをサポートする前記基地局のセルのリスト、又は、MF-Txをサポートしない前記基地局のセルのリストをさらに含んでもよい。前記セルを使用することにより、前記RNCは、MF-Tx 調整を実行できるNodeBのセルを知ってもよい。もし、前記NodeBが前記リストを通知しない場合、前記RNCは、NodeBの全てのセルがMF-Txをサポートすると考えてよく、かつ、全ての隣接セルは、MF-Txに構成されてもよい。さらに、前記調整セル又は周波数は、隣接セルリストに基づいて、前記RNCによって制限されてもよい。
【００７７】
ここで、本発明の実施形態における第一能力情報をRNCに通知する基地局の実施例が提供される。図7は、セル構造の実施例の概略図である。図7に示されるように、各基地局 NodeB-i(iは正の整数であり、かつ1≦i≦7)は、3つのセル、すなわちセルi1, セルi2, 及びセル-i3を制御する。図7におけるセル構造は、単なる実施例であり、かつ前記セル構造は、本発明の実施形態に限定されないことが留意されるべきである。
【００７８】
図7の実施例において、マルチフロー送信能力情報が、各セルに対応する場合、NodeB-1は、セル11、セル12、及びセル13のセル能力を通知する。3セルの全てが、Inter-NodeB MF-Txをサポートすると仮定すると、かつ、NodeB-2、NodeB-3、及びNodeB-4の全てのセルも、Inter-NodeB MF-Txをサポートする。
【００７９】
マルチフロー送信能力情報が基地局に対応し、NodeB-1が、Inter-NodeB MF-Txをサポートし、かつInter-NodeB MF-Txセルのリストが (セル11, セル12, 及びセル13)を有する場合、NodeB-2と、NodeB-3と、NodeB-4との全てのセルはまた、Inter-NodeB MF-Txをサポートし、かつ通知されたセルのリストは、それぞれ(セル21, セル22, セル23), (セル31, セル32, セル33),及びル41, セル42, セル43)である。
【００８０】
セル能力を知った後、前記RNCは、ネットワーク内にMF-Tx 調整セルの可能な組み合わせを制御するための調整セルテーブルを生成してもよく、ネットワークサイドのリソース処理を助ける。例えば、前記RNCは、以下の表１又は表２に示される調整セルテーブルを生成してもよい。
【００８１】
【表１】
0005846518.tif 000002
【００８２】
【表２】
0005846518.tif 000003
【００８３】
前記RNCは、表１又は表２の調整セルテーブルの方式で、かつ前記マルチフロー送信能力情報に基づいて、前記基地局に接続されるユーザー装置のHSDPAマルチフロー送信動作を構成してもよい。しかし、本発明の実施形態は、調整セルテーブルの方式に限定されず、かつユーザー装置のHSDPAマルチフロー送信動作は、別の方式で構成されてもよい。
【００８４】
以下に、第二能力情報及び第三能力情報の実施例を説明する。前記第二能力情報及び前記第三能力情報は、前述の第一能力情報のさらなる拡張であってもよい。表３は、前記第二能力情報 (基本能力情報)の実施例である。表４は、前記第三能力情報 (拡張能力情報)の実施例である。
【００８５】
【表３】
0005846518.tif 000004
【００８６】
表３は、セルMF-Tx能力の4つのタイプと、対応する基本能力情報 (X1-X4)とを定義しており、DF-4C 能力は、SF-DC 能力と下位の互換性(downward compatible)があり、4F-8C 能力は、DF-4C 能力と下位の互換性があり、かつ8F-16C 能力は、4F-8C 能力と下位の互換性がある。これは、高位レベルの能力が、下位レベルの能力を常にサポートすると理解されてもよい。
【００８７】
表４は、表３と組み合わせて、MF-Txの使用を拡張させるために使用されてもよい。
【００８８】
【表４】
0005846518.tif 000005
【００８９】
表４は、様々な拡張された能力と、対応する拡張能力情報 (Y1-Y9)を定義している。基地局は、表３の第二能力情報と、表４の第三能力情報を組み合わせるとともに、組み合わせ情報を通知してもよく、かつ組み合わせの規則は以下の通りである。
(1) 前記基地局は、前記第二能力情報及び前記第三能力情報を通知する。換言すると、前記基地局は、表３の能力に対応する第二能力情報 (X1-X4)と、表４の能力に対応する第三能力情報 (Y1-Y9)とをそれぞれ通知する。
【００９０】
例えば、セルがDF-4C+MIMO 能力をサポートすると仮定すると、前記基地局は、X2及びY1を通知してもよい。さらに、前記セルが、単一周波数帯における隣接周波数でDF-4C+DC-HSDPAをサポートすると仮定すると、前記基地局は、X2及びY4を通知してもよい。
【００９１】
この場合における前記第二能力情報及び前記第三能力情報を通知する方式は、本発明の実施形態に限定されない。例えば、前記第二能力情報及び前記第三能力情報を、それぞれ異なるメッセージ又は情報要素に有してもよく、又は前記第二能力情報及び前記第三能力情報を、同一メッセージ又は情報要素に、同時に有してもよい。
【００９２】
(2)前記基地局は、前記第二能力情報と前記第三能力情報との組み合わせ情報を通知する。
【００９３】
例えば、前記基地局は、まず、表３及び表４の能力を組み合わせ、ついで組み合わされた指示情報(つまり、前述の組み合わせ情報)を通知してもよい。
【００９４】
例えば、前記基地局は、まず、表３及び表４において置換及び組み合わせを実行し、ついで新たな表５を以下のように構成してもよい。表３における少なくとも一つの能力が、表４における少なくとも一つの能力と組み合わされてもよいことに留意すべきである。
【００９５】
【表５】
0005846518.tif 000006
【００９６】
セルがDF-4C+MIMO 能力をサポートすると仮定すると、前記基地局は、Z2を通知してもよい。さらに、前記セルが、単一周波数帯における隣接周波数上のDF-4C+DC-HSDPAをサポートすると仮定すると、前記基地局は、Z3を通知してもよい。
【００９７】
本発明の実施形態は、ネットワークサイドにおけるHSDPAマルチフロートランスミッションセル能力情報のインタラクションのための効果的な方法を提供する。このように、UEがネットワークに接続された後、前記ネットワークは、MF-Tx構成を実行するために十分にフレキシブルであり、かつ、ネットワークサイド上の処理能力は、多くの影響に悩まされないことも保証される。
【００９８】
図8は、本発明の実施形態に基づく基地局のブロック図である。図8における前記基地局80は、取得ユニット81と 送信ユニット82とを備える。
【００９９】
前記取得ユニット81は、前記基地局80によって制御される少なくとも一つのローカルセル又はローカルセルグループのマルチフロー送信能力情報を取得する。前記送信ユニット82は、前記取得ユニット81によって取得された前記マルチフロー送信能力情報を、無線ネットワーク制御器に送信する。
【０１００】
本発明の実施形態において、基地局は、ローカルセル又はローカルセルグループのマルチフロー送信能力情報を、無線ネットワーク制御器に送信する。このように、UEの接続の後、前記無線ネットワーク制御器は、前記マルチフロー送信能力情報に基づいてUEのために、HSDPAマルチフロー送信動作を適切に構成することができ、それによって、HSDPAマルチフロートランスミッションの特徴を効果的に適用する。
【０１０１】
前記取得ユニット81は、プロセッサを使用することによって実装されてもよく、かつ前記送信ユニット82は、インタフェーストランスミッタを使用することによって実装されてもよい。
【０１０２】
随意に、一実施形態として、前記送信ユニット82は、情報要素をRNCに送信してもよく、前記情報要素は、メッセージにおいて、前記送信ユニット82によって前記RNCに送信されてもよく、かつ前記情報要素は、前記少なくとも一つのローカルセル又はローカルセルグループの、全てのローカルセル又はローカルセルグループのマルチフロー送信能力情報を有する。前記少なくとも一つのローカルセル又はローカルセルグループが、前記基地局によって制御される全てのローカルセル又はローカルセルグループを参照するとき、前記マルチフロー送信能力情報は、前記基地局のHSDPAマルチフロー送信能力を指す。この場合、前記送信ユニット82は、前記マルチフロー送信能力情報を前記RNCに一度だけ通知する必要があり、かつ前記RNCは、前記基地局によって制御される全てのローカルセル又はローカルセルグループの前記マルチフロー送信能力情報を知ることができる。
【０１０３】
別の方法として、前記送信ユニット82は、少なくとも一つの情報要素を前記RNCに送信してもよい。前記少なくとも一つの情報要素はそれぞれ、前記少なくとも一つのローカルセル又はローカルセルグループの、一つのローカルセル又はローカルセルグループのマルチフロー送信能力情報を有する。前記少なくとも一つの情報要素は、メッセージにおいて、前記送信ユニット82によって、前記RNCに通知されてもよく、又は、複数のメッセージにおいて、前記RNCにそれぞれ通知されてもよく、本発明の実施形態に限定されない。
【０１０４】
随意に、一実施形態として、図3又は図4の実施形態において説明されているように、前記送信ユニット82は、前記マルチフロー送信能力情報を、前記無線ネットワーク制御器に送信されるリソース状態指示メッセージに追加してもよく、又は、前記送信ユニット82は、前記マルチフロー送信能力情報を、前記無線ネットワーク制御器に送信される監査応答メッセージに追加してもよい。
【０１０５】
随意に、一実施形態として、前記マルチフロー送信能力情報は、第一能力情報を含んでもよい。前記第一能力情報は、前記少なくとも一つのローカルセル又はローカルセルグループが、イントラ基地局マルチフロー送信能力をサポートし、インター基地局マルチフロー送信能力をサポートし、又はマルチフロー送信能力をサポートしないことを示すために使用されてもよく、又は、前記第一能力情報は、前記少なくとも一つのローカルセル又はローカルセルグループが、マルチフロー送信能力をサポートし、又はマルチフロー送信能力をサポートしないことを示すために使用されてもよい。
【０１０６】
随意に、別の実施形態として、前記第一能力情報は、マルチフロートランスミッションによってサポートされる周波数についての情報と、セルを調整するマルチフロートランスミッションの最大数についての情報と、前記基地局のセルを調整するマルチフロートランスミッションのリストと、前記基地局のセルを調整するノンマルチフロートランスミッションのリストと、マルチフロートランスミッションをサポートする前記基地局のセルのリストと、マルチフロートランスミッションをサポートしない前記基地局のセルのリストとの少なくとも一つをさらに含んでもよい。
【０１０７】
随意に、別の実施形態として、前記マルチフロー送信能力情報はさらに、第二能力情報及び第三能力情報を含み、又は、前記第二能力情報と前記第三能力情報との組み合わせ情報を含んでもよい。前記組み合わせ情報は、前記第二能力情報の様々な能力と前記第三能力情報の様々な能力との組み合わせを示すために使用される情報であり、例えば、前記第二能力情報の様々な能力と前記第三能力情報の様々な能力との前記組み合わせに対応するマッピング値又はインデックス値であってもよい。しかしながら、例えば表５に示されるように、前記組み合わせ情報が、前記第二能力情報の様々な能力と前記第三能力情報の様々な能力との組み合わせを示すことができるのであれば、前記組み合わせ情報の特定の構成は、本発明の実施形態に限定されない。
【０１０８】
前記第二能力情報及び前記第三能力情報は、前記第一能力情報の拡張である。随意に、前記少なくとも一つのローカルセル又はローカルセルグループが、例えば表３に示されるような、以下の能力、つまりSF-DC 能力と、DF-4C 能力と、4F-8C 能力と、8F-16C 能力との少なくとも一つをサポートするか否かを示すために、前記第二能力情報が、使用されてもよい。
【０１０９】
随意に、前記少なくとも一つのローカルセル又はローカルセルグループが、例えば表４示されるような、以下の能力、つまりMIMO 能力と、MIMOシングルストリーム能力と、ダウンリンクにおけるセル特定送信ダイバーシティ処理の能力と、単一周波数帯における隣接周波数でのDC-HSDPAの能力と、単一周波数帯における非隣接周波数でのDC-HSDPAの能力と、DB-DC-HSDPA 能力と、DC-HSUPA 能力と、4C-HSDPA 能力と、8C-HSDPA 能力との少なくとも一つをサポートするか否かを示すために、前記第三能力情報が使用されてもよい。
【０１１０】
図9は、本発明の実施形態に基づく無線ネットワーク制御器のブロック図である。図9における前記無線ネットワーク制御器90は、受信ユニット91及び構成ユニット92を備える。
【０１１１】
前記受信ユニット91は、基地局によって送信され、前記基地局によって制御される少なくとも一つのローカルセル又はローカルセルグループのマルチフロー送信能力情報を受信する。前記構成ユニット92は、前記受信ユニット91によって受信された前記マルチフロー送信能力情報に基づいて、前記基地局に接続されるユーザー装置のHSDPAマルチフロー送信動作を構成する。
【０１１２】
本発明の実施形態に基づいて、基地局は、ローカルセル又はローカルセルグループのマルチフロー送信能力情報を、無線ネットワーク制御器に送信する。このように、UEの接続の後、前記無線ネットワーク制御器は、前記マルチフロー送信能力情報に基づいて、前記UEのHSDPAマルチフロー送信動作を適切に構成することができ、それによって、HSDPAマルチフロートランスミッションの特徴を効果的に適用する。
【０１１３】
前記受信ユニット91は、インターフェース又は受信器を使用することによって実装されてもよく、かつ前記構成ユニット92は、プロセッサを使用することによって実装されてもよい。
【０１１４】
随意に、一実施形態として、前記受信ユニット91は、基地局によって送信される情報要素を受信してもよく、前記情報要素は、前記少なくとも一つのローカルセル又はローカルセルグループの、全てのローカルセル又はローカルセルグループのマルチフロー送信能力情報を有する。前記少なくとも一つのローカルセル又はローカルセルグループが、前記基地局によって制御される全てのローカルセル又はローカルセルグループを参照するとき、前記マルチフロー送信能力情報は、前記基地局のHSDPAマルチフロー送信能力を指す。この場合、前記RNCは、前記基地局によって制御される全てのローカルセル又はローカルセルグループの前記マルチフロー送信能力情報を知るために、前記マルチフロー送信能力情報を、基地局から一度だけ受信する必要がある。
【０１１５】
別の方法として、前記受信ユニット91は、前記基地局によって送信される少なくとも一つの情報要素を受信してもよく、前記少なくとも一つの情報要素はそれぞれ、前記少なくとも一つのローカルセル又はローカルセルグループの、一つのローカルセル又はローカルセルグループのマルチフロー送信能力情報を有する。前記少なくとも一つの情報要素は、前記基地局によるメッセージにおいて、前記RNCに通知されてもよく、又は、複数のメッセージにおいて、前記RNCに別々に通知されてもよく、本発明の実施形態に限定されない。
【０１１６】
随意に、一実施形態として、例えば図3又は図4の実施形態に説明されるように、前記受信ユニット91は、前記基地局によってリソース状態指示メッセージに追加された前記マルチフロー送信能力情報を受信してもよく、又は、前記受信ユニット91は、前記基地局によって監査応答メッセージに追加された前記マルチフロー送信能力情報を受信してもよい。
【０１１７】
随意に、一実施形態として、前記マルチフロー送信能力情報は、第一能力情報を含んでもよい。前記少なくとも一つのローカルセル又はローカルセルグループが、イントラ基地局マルチフロー送信能力をサポートし、インター基地局マルチフロー送信能力をサポートし、又はマルチフロー送信能力をサポートしないことを示すために、前記第一能力情報が使用されてもよく、又は、前記少なくとも一つのローカルセル又はローカルセルグループが、マルチフロー送信能力をサポートし、又は、マルチフロー送信能力をサポートしないことを示すために前記第一能力情報が使用されてもよい。
【０１１８】
随意に、別の実施形態として、前記構成ユニット92が、隣接セルリストに基づく、セルを調整するマルチフロートランスミッション、又は周波数をさらに制限してもよい。
【０１１９】
随意に、別の実施形態として、前記第一能力情報は、マルチフロートランスミッションによってサポートされる周波数についての情報と、セルを調整するマルチフロートランスミッションの最大数についての情報と、前記基地局のセルを調整するマルチフロートランスミッションのリストと、前記基地局のセルを調整するノンマルチフロートランスミッションのリストと、マルチフロートランスミッションをサポートする前記基地局のセルのリストと、マルチフロートランスミッションをサポートしない前記基地局のセルのリストとの少なくとも一つをさらに含んでもよい。
【０１２０】
随意に、別の実施形態として、前記マルチフロー送信能力情報はさらに、第二能力情報と第三能力情報とを含み、又は、前記第二能力情報と前記第三能力情報との組み合わせ情報を含んでもよい。前記組み合わせ情報は、前記第二能力情報の様々な能力と前記第三能力情報の様々な能力との組み合わせを示すために使用される情報であり、例えば、前記第二能力情報の様々な能力と前記第三能力情報の様々な能力との前記組み合わせに対応するマッピング値又はインデックス値である。しかしながら、例えば表５に示されるように、前記組み合わせ情報が、前記第二能力情報の様々な能力と前記第三能力情報の様々な能力との組み合わせを示すことができるのであれば、前記組み合わせ情報の特定の構成は、本発明の実施形態に限定されない。
【０１２１】
前記第二能力情報及び前記第三能力情報は、前記第一能力情報の拡張である。随意に、前記少なくとも一つのローカルセル又はローカルセルグループが、以下の能力、つまり、例えば表３に示されるSF-DC 能力と、DF-4C 能力と、4F-8C 能力と、8F-16C 能力との少なくとも一つをサポートするか否かを示すために、前記第二能力情報が使用されてもよい。
【０１２２】
随意に、前記少なくとも一つのローカルセル又はローカルセルグループが、以下の能力、つまり、例えば表４に示されるようなMIMO 能力と、MIMOシングルストリーム能力と、ダウンリンクにおけるセル特定送信ダイバーシティ処理の能力と、単一周波数帯における隣接周波数でのDC-HSDPAの能力と、単一周波数帯における非隣接周波数でのDC-HSDPAの能力と、DB-DC-HSDPA 能力と、DC-HSUPA 能力と、4C-HSDPA 能力と、8C-HSDPA 能力との少なくとも一つをサポートするか否かを示すために前記第三能力情報が使用されてもよい。
【０１２３】
本発明の実施形態に基づく通信システムは、前述した基地局80又は無線ネットワーク制御器90を備えてもよい。
【０１２４】
当業者は、本明細書に開示された実施形態において説明された実施例と組み合わせて、ユニット及びアルゴリズムステップが、電子ハードウェア、又はコンピュータソフトウェアと電子ハードウェアとの組み合わせによって実行されてもよいことを認識することができる。機能がハードウェア又はソフトウェアによって実行されるか否かは、特定のアプリケーション及び技術的解決策の設計制約条件に依存する。当業者は、各特定のアプリケーションのために記載された機能を実行する異なる方法を使用することができるが、これはその実行が本発明の範囲を超えていると考えられるべきではない。
【０１２５】
前述のシステム、装置、及びユニットの詳細な動作処理のための便利かつ簡潔な説明のために、前述の方法の実施形態において対応するプロセスが参照されてもよいことは、当業者によって理解されることができ、詳細をここに再度説明しない。
【０１２６】
本発明の使用の中で提供された幾つかの実施形態において、開示されたシステム、装置及び方法が他の方式で実施されることができることは理解されるべきである。例えば、上述した装置の実施形態は、単なる位置実施例に過ぎない。例えば、前記ユニットの分割は、単なる論理的な機能分割であり、かつ、実際の実施において他の分割であってもよい。例えば、複数のユニット又は要素は、別のシステムに組み合わされても、若しくは統合されてもよく、又は、幾つかの特徴が無視され、若しくは実行されなくてもよい。さらに、前記表示された若しくは説明された相互接続、又は直接的な接続若しくは通信接続は、幾つかのインターフェースを介して実施されてもよい。装置間若しくはユニット間の間接接続若しくは通信接続は、電気的、機械的、又は他の形態で実施されてもよい。
【０１２７】
独立した部分として説明されたユニットは、物理的に独立していてもいなくてもよく、ユニットとして表示された部分は、物理ユニットであってもなくてもよく、一つの位置に置かれてもよく、複数のネットワークユニットに分散されてもよい。ユニットの一部又は全体は、実際の必要に基づいて選択され、実施形態の解決策の目的を達成してもよい。
【０１２８】
さらに、本発明の実施形態における機能ユニットは、一つの処理ユニットに統合されてもよく、又は、各機能ユニットが物理的に独立して存在してもよく、又は2又は3以上のユニットが1のユニットに統合されてもよい。
【０１２９】
前記機能が、ソフトウェア機能ユニットの形態で実施され、かつ、独立した製品として販売又は使用されるとき、前記機能が、コンピュータ可読記憶媒体に記憶されてもよい。そのような理解に基づき、本発明の本質的な技術的解決策、又は従来技術に貢献するその一部、又は技術的解決策は、ソフトウェア製品の形態で実施されてもよい。前記ソフトウェア製品は、記憶媒体に記憶され、かつ、本発明の実施形態において説明された方法のステップの全部又は一部を実行するように、コンピュータデバイス(例えば、パーソナルコンピュータ、サーバー、又はネットワークデバイス)に命令するための様々な命令を含む。前述の記憶媒体は、プログラムコードを記憶することが可能な、例えばUSBフラッシュメモリ、リムーバブルハードディスク、リードオンリーメモリ(ROM, Read-Only Memory)、ランダムアクセスメモリ(RAM, Random Access Memory)、磁気ディスク、又は光学ディスクのような任意の媒体を含む。
【０１３０】
前述の説明は、本発明の単なる特定の実施形態に過ぎず、本発明の保護範囲を限定することを意図していない。本発明で開示された技術的範囲内で当業者が容易に考え付く任意の変更又は置換は、本発明の保護範囲内に入るものとする。従って、本発明の保護範囲は、特許請求の範囲の保護範囲に従うものとする。
【符号の説明】
【０１３１】
８０  基地局
８１  取得ユニット
８２  送信ユニット
９０  無線ネットワーク制御器
９１  受信ユニット
９２  構成ユニット
【図１】
0005846518.tif 000007
【図２】
0005846518.tif 000008
【図３】
0005846518.tif 000009
【図４】
0005846518.tif 000010
【図５Ａ】
0005846518.tif 000011
【図５Ｂ】
0005846518.tif 000012
【図６Ａ】
0005846518.tif 000013
【図６Ｂ】
0005846518.tif 000014
【図６Ｃ】
0005846518.tif 000015
【図６Ｄ】
0005846518.tif 000016
【図７】
0005846518.tif 000017
【図８】
0005846518.tif 000018
【図９】
0005846518.tif 000019